【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
検体の分析に用いられる複数の試薬が配置される試薬配置部と、
表示部と、
前記試薬配置部に配置された複数の試薬にそれぞれ対応した複数の試薬情報表示領域を含む表示画面を表示し、前記試薬配置部に配置された各試薬に関する複数種類の試薬情報の少なくとも１つを前記複数の試薬情報表示領域のそれぞれに選択的に表示するように前記表示部を制御する制御部と、を備え、
前記制御部は、前記複数種類の試薬情報の少なくとも１つが前記複数の試薬情報表示領域のそれぞれに選択的に表示されている場合に、試薬情報の表示切替指示を受け付けると、前記複数の試薬情報表示領域のそれぞれに表示されている試薬情報を他の種類の試薬情報に切り替える、検体分析装置。
【請求項２】
前記制御部は、前記複数種類の試薬情報の少なくとも１つの選択を受け付けるように構成されており、前記複数種類の試薬情報の少なくとも１つが前記複数の試薬情報表示領域のそれぞれに選択的に表示されている場合に、他の種類の試薬情報の選択を受け付けると、前記複数の試薬情報表示領域のそれぞれに表示される試薬情報を、選択された前記他の種類の試薬情報に切り替える、請求項１に記載の検体分析装置。
【請求項３】
前記表示画面は、前記複数種類の試薬情報の少なくとも１つを選択するための複数の表示選択部を有する選択受付領域を含み、
前記制御部は、前記複数の表示選択部のうちのいずれかが選択された場合に、選択された表示選択部に対応する試薬情報の選択を受け付けるように構成されている、請求項２に記載の検体分析装置。
【請求項４】
前記制御部は、前記選択受付領域における前記複数の表示選択部のうち、選択された表示選択部を、他の表示選択部に対して識別可能に表示するように前記表示部を制御する、請求項３に記載の検体分析装置。
【請求項５】
前記選択受付領域は、前記複数の試薬情報表示領域のそれぞれに表示されていた試薬情報を非表示とするための非表示選択部をさらに有し、
前記制御部は、前記非表示選択部が選択された場合に、前記複数の試薬情報表示領域のそれぞれに表示されていた試薬情報を非表示とする、請求項３または４に記載の検体分析装置。
【請求項６】
前記複数の表示選択部の各々は、各々の表示選択部に対応する試薬情報を示すアイコン画像を含む、請求項３〜５のいずれか１項に記載の検体分析装置。
【請求項７】
前記複数の試薬が配置される試薬配置部は、環状に構成されており、
前記制御部は、前記表示画面上において、環状の前記試薬配置部の模式図を前記選択受付領域を囲むように配置するよう、前記表示部を制御するように構成されている、請求項３〜６のいずれか１項に記載の検体分析装置。
【請求項８】
前記試薬情報表示領域は、前記試薬配置部における各試薬の配置状況に対応して前記試薬配置部の模式図上に表示された、試薬を模式的に示す試薬マークの所定領域を含み、
前記制御部は、前記複数の試薬マークのそれぞれの所定領域内に前記複数種類の試薬情報の少なくとも１つを選択的に表示するよう、前記表示部を制御するように構成されている、請求項７に記載の検体分析装置。
【請求項９】
前記表示画面は、前記試薬配置部に配置された複数の試薬のうち、いずれかの試薬の前記複数種類の試薬情報を含む試薬詳細情報を表示するための詳細情報表示領域を含み、
前記制御部は、前記複数の試薬マークのいずれかの指定を受け付けると、前記指定を受け付けた試薬マークに対応する試薬の前記試薬詳細情報を前記詳細情報表示領域に表示するよう前記表示部を制御する、請求項８に記載の検体分析装置。
【請求項１０】
前記複数種類の試薬情報は、試薬が前記試薬配置部に配置されてからの経過時間を示す経過時間情報と、試薬の残量を示す試薬残量情報と、試薬の使用可能回数を示す使用可能回数情報とを含み、
前記複数の表示選択部は、前記経過時間情報に対応する経過時間選択部と、前記試薬残量情報に対応する試薬残量選択部と、前記使用可能回数情報に対応する使用可能回数選択部とを有する、請求項３〜９のいずれか１項に記載の検体分析装置。
【請求項１１】
前記複数種類の試薬情報を記憶する記憶部を備え、
前記制御部は、前記複数種類の試薬情報の少なくとも１つを前記記憶部から読み出して前記複数の試薬情報表示領域のそれぞれに選択的に表示するように前記表示部を制御し、前記複数種類の試薬情報の少なくとも１つが前記複数の試薬情報表示領域のそれぞれに選択的に表示されている場合に、試薬情報の表示切替指示を受け付けると、前記記憶部から前記他の種類の試薬情報を読み出し、前記複数の試薬情報表示領域のそれぞれに表示される試薬情報を、読み出された前記他の種類の試薬情報に切り替える、請求項１〜１０のいずれか１項に記載の検体分析装置。
【請求項１２】
前記複数の試薬情報表示領域のそれぞれに表示された前記試薬情報の種類を記憶する記憶部を備え、
前記制御部は、表示制御の終了時に前記複数の試薬情報表示領域のそれぞれに表示された試薬情報の種類を前記記憶部に記憶するとともに、表示制御の再開時に、前記記憶部に記憶された種類の試薬情報を前記複数の試薬情報表示領域のそれぞれに表示するよう前記表示部を制御する、請求項１〜１０のいずれか１項に記載の検体分析装置。
【請求項１３】
前記複数の試薬情報表示領域のそれぞれは、前記試薬配置部に配置された各試薬に関する所定の試薬情報を、前記複数の試薬情報表示領域のそれぞれの背景として色彩または色彩の組み合わせの変化により表示する背景表示領域を含み、
前記制御部は、前記複数の試薬情報表示領域のそれぞれに選択的に表示される前記複数種類の試薬情報の少なくとも１つを、前記複数の試薬情報表示領域のそれぞれの背景表示領域に重ねて表示するよう前記表示部を制御する、請求項１〜１２のいずれか１項に記載の検体分析装置。
【請求項１４】
前記背景表示領域が示す前記所定の試薬情報は、試薬の残量に関する情報を含む、請求項１３に記載の検体分析装置。
【請求項１５】
検体の分析に用いられる複数の試薬が配置される試薬配置部と、表示部とを備え、検体の測定を行うことが可能な検体分析装置における試薬情報の表示方法であって、
前記試薬配置部に配置された前記複数の試薬にそれぞれ対応した複数の試薬情報表示領域を含む表示画面を前記表示部に表示するステップと、
前記試薬配置部に配置された各試薬に関する複数種類の試薬情報の少なくとも１つを前記複数の試薬情報表示領域のそれぞれに選択的に表示するステップと、
前記複数種類の試薬情報の少なくとも１つが前記複数の試薬情報表示領域のそれぞれに選択的に表示されている場合に、表示切替指示を受け付けると、前記複数の試薬情報表示領域のそれぞれに表示されている試薬情報を他の種類の試薬情報に切り替えるステップとを備える、検体分析装置における試薬情報の表示方法。
【請求項１６】
検体の分析に用いられる複数の試薬が配置される試薬配置部と、表示部とを備え、検体の測定を行うことが可能な検体分析装置に用いられるコンピュータプログラムであって、
コンピュータを、
前記試薬配置部に配置された複数の試薬にそれぞれ対応した複数の試薬情報表示領域を含む表示画面を表示し、前記試薬配置部に配置された各試薬に関する複数種類の試薬情報の少なくとも１つを前記複数の試薬情報表示領域のそれぞれに選択的に表示するように前記表示部を制御する表示制御手段と、
前記複数種類の試薬情報の少なくとも１つが前記複数の試薬情報表示領域のそれぞれに選択的に表示されている場合に、表示切替指示を受け付けると、前記複数の試薬情報表示領域のそれぞれに表示されている試薬情報を他の種類の試薬情報に切り替える表示切替手段として機能させるためのコンピュータプログラム。
【手続補正２】
【補正対象書類名】明細書
【補正対象項目名】０００７
【補正方法】変更
【補正の内容】
【０００７】
この発明の第１の局面による検体分析装置は、検体の分析に用いられる複数の試薬が配置される試薬配置部と、表示部と、試薬配置部に配置された複数の試薬にそれぞれ対応した複数の試薬情報表示領域を含む表示画面を表示し、試薬配置部に配置された各試薬に関する複数種類の試薬情報の少なくとも１つを複数の試薬情報表示領域のそれぞれに選択的に表示するように表示部を制御する制御部と、を備え、前記制御部は、複数種類の試薬情報の少なくとも１つが複数の試薬情報表示領域のそれぞれに選択的に表示されている場合に、試薬情報の表示切替指示を受け付けると、複数の試薬情報表示領域のそれぞれに表示されている試薬情報を他の種類の試薬情報に切り替える。
【手続補正３】
【補正対象書類名】明細書
【補正対象項目名】０００９
【補正方法】変更
【補正の内容】
【０００９】
上記第１の局面による検体分析装置において、好ましくは、制御部は、複数種類の試薬情報の少なくとも１つの選択を受け付けるように構成されており、複数種類の試薬情報の少なくとも１つが複数の試薬情報表示領域のそれぞれに選択的に表示されている場合に、他の種類の試薬情報の選択を受け付けると、複数の試薬情報表示領域のそれぞれに表示される試薬情報を、選択された他の種類の試薬情報に切り替える。このように構成すれば、ユーザは、複数種類の試薬情報の中から選択するだけで、容易に、複数の試薬情報表示領域に表示される試薬情報を、所望の試薬情報に切り替えることができる。
【手続補正４】
【補正対象書類名】明細書
【補正対象項目名】００１０
【補正方法】変更
【補正の内容】
【００１０】
この場合、好ましくは、表示画面は、複数種類の試薬情報の少なくとも１つを選択するための複数の表示選択部を有する選択受付領域を含み、制御部は、複数の表示選択部のうちのいずれかが選択された場合に、選択された表示選択部に対応する試薬情報の選択を受け付けるように構成されている。このように構成すれば、表示画面に含まれる選択受付領域の複数の表示選択部から選択するだけで、複数の試薬情報表示領域に表示される試薬情報を選択することができる。これにより、ユーザは、必要な試薬情報の選択と表示とを同じ表示画面内で行うことができる。
【手続補正５】
【補正対象書類名】明細書
【補正対象項目名】００１１
【補正方法】変更
【補正の内容】
【００１１】
上記表示画面が複数の表示選択部を有する選択受付領域を含む構成において、好ましくは、制御部は、選択受付領域における複数の表示選択部のうち、選択された表示選択部を、他の表示選択部に対して識別可能に表示するように表示部を制御するよう構成されている。このように構成すれば、複数の試薬情報表示領域に表示されている試薬情報が、複数の表示選択部のうち、いずれの表示選択部が選択されることにより表示されているのかを識別することができる。これにより、ユーザは、複数の試薬情報表示領域に表示されている試薬情報が、複数種類の試薬情報の内の、どの試薬情報なのかを容易に把握することができる。
【手続補正６】
【補正対象書類名】明細書
【補正対象項目名】００１２
【補正方法】変更
【補正の内容】
【００１２】
上記表示画面が複数の表示選択部を有する選択受付領域を含む構成において、好ましくは、選択受付領域は、複数の試薬情報表示領域のそれぞれ表示されていた試薬情報を非表示とするための非表示選択部をさらに含み、制御部は、非表示選択部が選択された場合に、複数の試薬情報表示領域のそれぞれに表示されていた試薬情報を非表示とする。このように構成すれば、ユーザは、表示画面に表示された選択受付領域の中から非表示選択部を選択することにより、複数の試薬情報表示領域のそれぞれに表示されていた試薬情報を必要に応じて非表示に切り替えることができる。
【手続補正７】
【補正対象書類名】明細書
【補正対象項目名】００１４
【補正方法】変更
【補正の内容】
【００１４】
上記表示画面が複数の表示選択部を有する選択受付領域を含む構成において、好ましくは、複数の試薬が配置される試薬配置部は、環状に構成されており、制御部は、表示画面上において、環状の試薬配置部の模式図を選択受付領域を囲むように配置するよう、表示部を制御するように構成されている。このように構成すれば、ユーザは、環状に表示された試薬配置部の模式図により、表示画面を見るだけで試薬配置部の試薬の配置を直感的に把握することができるとともに、環状の模式図の中央の試薬情報表示領域が配置されない部分に選択受付領域を配置することができるので、表示スペースを有効利用することができる。
【手続補正８】
【補正対象書類名】明細書
【補正対象項目名】００１５
【補正方法】変更
【補正の内容】
【００１５】
この場合、好ましくは、試薬情報表示領域は、試薬配置部における各試薬の配置状況に対応して試薬配置部の模式図上に表示された、試薬を模式的に示す試薬マークの所定領域を含み、制御部は、複数の試薬マーク内のそれぞれの所定領域内に複数種類の試薬情報の少なくとも１つを選択的に表示するよう、表示部を制御するように構成されている。このように構成すれば、表示画面上の各試薬マークの配置が、実際の試薬の配置に対応して表示され、かつ、試薬マークの所定領域内に試薬情報が表示されるので、ユーザは、試薬マークの表示を見ることにより、試薬の配置位置と対応させて試薬情報を確認することができる。
【手続補正９】
【補正対象書類名】明細書
【補正対象項目名】００１６
【補正方法】変更
【補正の内容】
【００１６】
上記各試薬の配置状況に対応して、複数の試薬マークを表示する構成において、好ましくは、表示画面は、試薬配置部に配置された複数の試薬のうち、いずれかの試薬の複数種類の試薬情報を含む試薬詳細情報を表示するための詳細情報表示領域を含み、制御部は、複数の試薬マークのいずれかの指定を受け付けると、指定を受け付けた試薬マークに対応する試薬の試薬詳細情報を詳細情報表示領域に表示するよう表示部を制御する。このように構成すれば、ユーザは、複数の試薬マークに表示された所望の試薬情報を試薬の配置状況とともに把握した上で、確認を要する試薬マークを指定して試薬詳細情報を表示させることができる。これにより、ユーザは、試薬配置部に多数配置される試薬の全体的な状況と、確認を要する試薬の詳細な情報との両方を容易に把握することができるので、作業性を向上させることができる。
【手続補正１０】
【補正対象書類名】明細書
【補正対象項目名】００１８
【補正方法】変更
【補正の内容】
【００１８】
上記第１の局面による検体分析装置において、好ましくは、複数種類の試薬情報を記憶する記憶部を備え、制御部は、複数種類の試薬情報の少なくとも１つを記憶部から読み出して複数の試薬情報表示領域のそれぞれに選択的に表示するように表示部を制御し、複数種類の試薬情報の少なくとも１つが複数の試薬情報表示領域のそれぞれに選択的に表示されている場合に、試薬情報の表示切替指示を受け付けると、記憶部から他の種類の試薬情報を読み出し、複数の試薬情報表示領域のそれぞれに表示される試薬情報を、読み出された他の種類の試薬情報に切り替える。このように構成すれば、複数の試薬情報表示領域のそれぞれに、容易に、複数種類の試薬情報を選択的に表示することができる。
【手続補正１１】
【補正対象書類名】明細書
【補正対象項目名】００１９
【補正方法】変更
【補正の内容】
【００１９】
上記第１の局面による検体分析装置において、好ましくは、複数の試薬情報表示領域のそれぞれに表示された試薬情報の種類を記憶する記憶部を備え、制御部は、表示制御の終了時に複数の試薬情報表示領域のそれぞれに表示された試薬情報の種類を記憶部に記憶するとともに、表示制御の再開時に、記憶部に記憶された種類の試薬情報を複数の試薬情報表示領域のそれぞれに表示するよう表示部を制御するように構成されている。このように構成すれば、検体分析装置を起動（表示制御の開始）する毎に試薬情報表示領域に表示させる試薬情報を切り替える必要がないので、余計な切り替え作業を行うことなく、試薬情報を確認することができる。また、特定の試薬情報のみを常時試薬情報表示領域に表示させたままにしておくこともできるので、ユーザが常に必要とする試薬情報を常時表示させておくこともできる。
【手続補正１２】
【補正対象書類名】明細書
【補正対象項目名】００２０
【補正方法】変更
【補正の内容】
【００２０】
上記第１の局面による検体分析装置において、好ましくは、複数の試薬情報表示領域のそれぞれは、試薬配置部に配置された各試薬に関する所定の試薬情報を、複数の試薬情報表示領域のそれぞれの背景として色彩または色彩の組み合わせの変化により表示する背景表示領域を含み、制御部は、複数の試薬情報表示領域のそれぞれに選択的に表示される複数種類の試薬情報の少なくとも１つを、複数の試薬情報表示領域のそれぞれの背景表示領域に重ねて表示するよう表示部を制御するように構成されている。このように構成すれば、各試薬情報表示領域に表示される試薬情報の表示に重ねて、他の試薬情報を背景として表示させることができるので、各試薬情報表示領域を拡大することなく複数の試薬情報を表示させることができる。これにより、表示領域を拡大することなく、より多くの試薬情報を表示画面上に表示させることができる。